(57)【要約】【課題】  お風呂を敬遠する傾向がある子供と、入浴を好む大人との両者が共に楽しめる玩具内蔵入浴剤を提供する。【解決手段】  水溶性の薬剤を固化してなる固形入浴剤１と、この固形入浴剤１に格納される玩具２と、を具えて玩具内蔵入浴剤を構成し、玩具２は駆動手段を有し所定の運動をなす玩具で構成し、固形入浴剤１は玩具２の運動を阻止するよう少なくとも玩具２の駆動部を覆うよう構成し、当該玩具内蔵入浴剤を浴槽等に投下し、固形入浴剤１が溶解して玩具２が解放された際、玩具２が自力運動を開始するようにする。【選択図】図４
2005298461.tif 000002
【特許請求の範囲】
【請求項１】
水溶性の薬剤を固化してなる固形入浴剤と、この固形入浴剤に格納される玩具と、を具えてなる玩具内蔵入浴剤であって、
前記玩具は駆動手段を具え所定の運動をなす玩具により構成し、前記固形入浴剤は玩具の運動を阻止するよう少なくとも玩具の駆動部を覆うよう構成し、
当該玩具内蔵入浴剤を浴槽等に投下し、固形入浴剤が溶解して玩具が解放された際、玩具が運動を開始するよう構成したことを特徴とする玩具内蔵入浴剤。
【請求項２】
前記固形入浴剤は、透明剤で構成し、格納する玩具を外部から目視可能に構成したことを特徴とする請求項１記載の玩具内蔵入浴剤。
【請求項３】
前記固形入浴剤は、非透明剤で構成し、格納する玩具を目視出来ないように構成したことを特徴とする請求項１記載の玩具内蔵入浴剤。
【発明の詳細な説明】
【技術分野】
【０００１】  この発明は、玩具を内蔵してなる入浴剤に関し、詳しくは浴槽等への投下時において入浴剤が所定量溶解して玩具が水中で解放状態となった際、当該玩具が所定の運動を開始するように構成した玩具内蔵入浴剤に関するものである。
【背景技術】
【０００２】  入浴は単に身体を洗う目的だけに留まらず、一日の疲れを癒すため、ゆっくりとリラックスするために楽しまれており、特に日本人はお風呂好きで有名である。
そして、このお風呂での癒し効果やリラックス効果を助長するために入浴剤が提案されている。入浴剤には身体の血行を良好なものとして疲れを癒す薬剤や、精神を安定させるための香料や鮮やかな色彩をなす顔料等が含有されており、使用感が良好であるうえ安価であるため、こうした入浴剤を日常的に利用している愛好家も多い。【０００３】  ところが子供達にとってお風呂は大人が感じるように楽しめるものではない。すなわち、子供達には大人が感じる癒し効果やリラックス効果を求める傾向はなく、お風呂は退屈でつまらない場所となりがちである。そして大人が楽しむ入浴剤もまた子供にとってはなんら興味の対象とならないものとなる。このため小さな子供を持つ親は、子供をなだめつつお風呂に入れることになる。
こうした子供達の風呂嫌いを解消するために従来からお風呂で遊べる玩具が複数提供されている。すなわち、子供は簡単な構造をなす安価な玩具であっても子供特有の想像力と好奇心とによって無心に遊ぶことができ、こうしたお風呂用玩具によって子供をお風呂好きにしようとするものである。【０００４】  一方、上述の入浴の問題とは別に、子供の食するお菓子では大人が楽しむお菓子とは異なる興味深い現象が起きている。一般的にお菓子は美味しく楽しく食することが主な目的であるが、子供のお菓子にあっては、小さなおまけ（玩具）を同時に提供することで楽しみを倍増させる試みがなされていて大きな成功を収めている。【０００５】  例えば、キャラメルの箱の中に小さな玩具を格納し、キャラメルと玩具との両者を同時に楽しむ事が出来るようにしたお菓子。あるいはまた、タマゴ型をなしたチョコレートに中空部を設け、この中空部内に小さな玩具を格納してなるお菓子等が挙げられ、これらのお菓子は子供達の間で大変人気のあるお菓子として有名である。
ところで、こうした小さな玩具を具えてなるお菓子に共通している点は、小さな玩具自体が外部から確認することが出来ないようになっている点であり、お菓子を購入する子供たちは、「どんな玩具が出てくるか」という子供特有の好奇心を楽しむ事が出来る。そして友人との間で小さな玩具を交換する等、大人にはない子供たちだけのコミュニケーションを楽しんでいる。【０００６】  こうした「子供の入浴時における課題」と、「お菓子での成功例」との両者を考慮すると、入浴剤に対し小さな玩具を格納し、子供の興味・関心をお風呂へと引き付けることが考えられる。そして今日、玩具を格納してなる入浴剤が提案されている。
【非特許文献１】特開昭５０−００６７１６号公報
【非特許文献２】実開昭６１−２０２４４０号公報
【非特許文献３】実開昭６３−０９８３３７号公報
【非特許文献４】実公平６−００３５９３号公報
【非特許文献５】特開平９−２４９５５１号公報
【非特許文献６】特開２０００−１９１５０８号公報
【発明の開示】
【発明が解決しようとする課題】
【０００７】  上記従来の入浴剤はいずれも内部に小さな玩具を具えていて、入浴時において子供の好奇心を刺激し、入浴を楽しいものとする事が可能であるが、その効果は必ずしも良好なものであるとは思われない。
すなわち、上記従来のいずれの入浴剤も、入浴剤が適宜量溶解した際に収納した玩具が入浴剤から解放されるだけに過ぎないのもの、あるいは玩具に浮力を与えておき玩具が解放後において水面へとゆっくり浮上する程度の単純な動きをなすものであり玩具自体が子供たちの期待を満足させる特別な動きをなすものではない。【０００８】  今日、玩具の技術は非常に高いレベルまで達しており微細な歯車や微細な駆動源を組み合わせて小型でありながら複雑な動きをなすものが多く提供されている。また、こうした小型玩具で利用される微細な部品も近年の加工技術によって確実な駆動が可能なうえ低価格で提供され、玩具自体が安価で無理なく購入出来るようになっている。【０００９】  本件発明に係る玩具内蔵入浴剤は、固形入浴剤の中に小型でありながら確実な駆動が可能な玩具を格納し、この玩具の動きを常には固形入浴剤によって停止させてなる玩具内蔵入浴剤を提供することで上記従来の課題を解決しようとするものである。
すなわち、本件発明の玩具内蔵入浴剤は、浴槽等に投下し所定時間経過後に入浴剤から玩具が解放されると、突然玩具が水中内で走行する、あるいは突然踊りだすように動きだす。その動きは一見すると卵から生物が誕生するかのような動きをなし、子供達は思わぬ動きをなる玩具に驚き、そして楽しむことが出来る。
【課題を解決するための手段】
【００１０】  本発明に係る玩具内蔵入浴剤は、水溶性の薬剤を固化してなる固形入浴剤と、この固形入浴剤に格納される玩具と、を具えてなり、前記玩具は駆動手段を有し所定の運動をなす玩具により構成し、前記固形入浴剤は玩具の運動を阻止するよう少なくとも玩具の駆動部を覆うよう構成し、当該玩具内蔵入浴剤を浴槽等に投下した際、固形入浴剤が溶解して玩具が解放された際に運動を開始するよう構成することで上記従来の課題を解決しようとするものである。【００１１】  また、前記固形入浴剤は、透明剤によって構成し、格納する玩具を外部から目視可能にすることによって購入者各人の好みによって玩具を選択して購入出来るようにしようとするものである。
一方前記固形入浴剤を、非透明剤で構成し、格納する玩具を目視出来ないようにすることで、購入者に対し「どのような玩具が飛び出すか」そして「どんな動きをするのか」という期待を持たせるようにしようとするものである。
【発明の効果】
【００１２】  本件発明に係る玩具内蔵入浴剤は、通常の入浴剤の効果に加え、入浴剤が所定量溶解して入浴剤内に格納された玩具が水中で解放されると、突然、玩具が自力で所定の動きを開始する。これによって子供は想像していない動きとともに飛び出した玩具によって充分に楽しむことが出来る。【００１３】  また、透明な入浴剤を有した玩具内蔵入浴剤は、格納された玩具を予め確認することが出来、各人自分の好みの玩具を、また自分が所有していない玩具を選択した上で購入することが出来る。一方、非透明の入浴剤を有した玩具内蔵入浴剤は、格納された玩具を外部から確認することが出来ず、どんな玩具が飛び出すか、どんな動きをする玩具なのかと、玩具との出会いを期待して楽しむことが出来る。
【発明を実施するための最良の形態】
【００１４】  大人に好まれる入浴剤と、子供に好まれる玩具と、を一体に設け大人から子供まで楽しめる玩具内蔵入浴剤を実現した。
【実施例】
【００１５】  図面に基づいてこの発明の実施例を説明する。図１はこの発明の請求の範囲第１項および第２項に係る玩具内蔵入浴剤の一実施例を示す分解外観斜視図であり、図２は図１に示した玩具内蔵入浴剤に格納される玩具を示す正面図である。
図において１は固形入浴剤であり、この固形入浴剤１は透明な薬剤を固化して形成されるものであり、通常の入浴剤と同様に血行を良好にする薬剤、リラックス作用のある香料や顔料が適量含有されている。勿論この固形入浴剤は水溶性であり湯船等に投下するとゆっくりと溶解する。
また、この固形入浴剤の大きさや形状は特に限定されるものではなく、図に示すように円板状でも良く、また小判型やハート型等であっても良い。【００１６】  一方、図に示す２は玩具であり、この玩具２は前記透明な固形入浴剤１の内部に格納されていてその形状や色彩が外部から目視可能となっている。なお、図に示す玩具２は一例として「魚」の玩具を示すものである。
図２は玩具２を示す正面図であり、この玩具２は内部に駆動部としてゼンマイを備えていて、駆動部の動力によって尾の部分を左右に繰り返し運動させることで水中を遊泳可能となっている。
また、３は回転つまみ体であり、この回転つまみ体３は玩具２内のゼンマイを巻き上げるために玩具２の一部に設けられたゼンマイ軸２ａに連結可能となっている。【００１７】  一方、図３もまた「魚」の玩具２を示すものである。この「魚」の玩具２は、目立たないように玩具２の下方部にゼンマイ用の小さな回転つまみ体３が予め固定されているタイプの玩具である。この発明に係る玩具内蔵入浴剤は、図２および図３に示すいずれのタイプの玩具を用いても良い。【００１８】  そしてこの玩具２は、ゼンマイが巻き上げられた状態、換言すれば遊泳可能な状態で図１に示すように固形入浴剤１内に格納され、固形入浴剤１によってその動きが阻止されている。このようにして玩具２を固形入浴剤１内に格納するには、例えば玩具２の駆動部を適宜の手段で保持しておき、この状態で駆動部の周囲に溶解剤を塗布し、当該溶解剤が固化した後に保持手段を外して、玩具の全体を固形入浴剤１で覆うようにすれば良い。【００１９】  また、図１に示す６は包装袋であり、この包装袋６は玩具２を格納した固形入浴剤１および回転つまみ体３を収納するためのものであり、玩具２の形状および色彩が外部から確認できるように全体が、あるいは中央部分が透明となっている。【００２０】  次に、以上の構成からなる玩具内蔵入浴剤の作用を説明する。
この玩具内蔵入浴剤は包装袋６の外側から格納される玩具２が確認出来るので、子供は複数種類の玩具の中から自分の好みの玩具を選択可能である。これによって親子で買い物をする際、大人は入浴剤のタイプを、子供は好きな玩具を、親子で会話を楽しみつつ買い物が出来る。【００２１】  そして、入浴時において玩具内蔵入浴剤を浴槽に投下すると、まず固形入浴剤１の溶解が始まり、適宜時間経過後に玩具２が固形入浴剤１から解放されると、図４に示すように玩具２は阻止されていた駆動部を動かして水中を走行する。こうした動きは一見すると卵から生物が誕生するかのような動きをなし、また思わぬ方向へと走行方向を変更する等、子供が予想していなかった動きをなす。これによって子供は水中を遊泳する昆虫や小魚を捕まえるように玩具２によって無心に遊ぶ事が出来る。
ところで、この玩具内蔵入浴剤の玩具２には上述のように、回転つまみ体３が付属されている、あるいは予め回転つまみ体が固定されているので、玩具２を繰り返し使用して楽しむ事が可能である。【００２２】  一方、玩具内蔵入浴剤の固形入浴剤１および玩具２に各々浮力を与えておき、これら両者が水面に浮くように構成しても良い。
図５は、固形入浴剤１および玩具２が共に水面に浮くよう構成した例を示す図であり、この例において玩具２は頭部を水面から出して泳ぐ水中動物として「ビーバー」を模倣した玩具である。そしてこのビーバーの玩具は固形入浴剤１から解放されると、ゼンマイを動力として尾を左右に繰り返し動かして水面を楽しげに泳ぐようになっている。勿論、この玩具２もまた繰り返し使用可能である。【００２３】  以上説明したように、この玩具内蔵入浴剤は、従来技術の「玩具付き入浴剤」のように単に玩具を内蔵してなる入浴剤とは異なり、入浴剤から飛び出すように走行する動きのある玩具を提供可能であり、更にその玩具は繰り返し楽しめるものである。【００２４】  なお、図１ないし図５に示した玩具２は、一例として「魚」「ビーバー」を模倣した玩具を示したが、玩具２はこれに限定されるものではない。図６は玩具のその他の構成例を示す図であり、図６（ａ）はスクリューを回転させて走行する潜水艦、図６（ｂ）は羽根を動かして遊泳する鳥、図６（ｃ）はプロペラを回転させて走行するロボットであり、このように玩具２はどのような形状の物でも良く、現実的な動物や想像上の生き物、そしてテレビ等の人気キャラクターであっても良い。【００２５】  一方、図７はこの発明の請求の範囲第３項に係る玩具内蔵入浴剤を示す正面図である。この玩具内蔵入浴剤は、固形入浴剤５が非透明剤からなっていて、この固形入浴剤５内に適宜の動きをなす玩具が格納されている。そして当該玩具は図に示すようにこの非透明材からなる固形入浴剤５によって外部から目視出来ないようなっている。【００２６】  以上の構成からなる玩具内蔵入浴剤は、格納される玩具が確認出来ないので、実際に玩具が飛び出すまで「どのような玩具が出てくるか」、「どのような動きをするのか」がまったく分からず飛び出してくる玩具を楽しみに待つことが出来る。そして勿論、飛び出してきた玩具は上述のように繰り返し遊ぶことが出来る。【００２７】  以上説明したように、この発明に係る玩具内蔵入浴剤にあっては、子供の好奇心と想像力とを刺激し、入浴を楽しいものとすることが可能となる。そして、入浴を嫌がる子供に対し「１０数えるまで入りなさい」という強制的な入浴を無理に強いるのではなく、「おもちゃが飛び出るまで入りましょう」等、子供達に遊び感覚で入浴の楽しみを教えることが出来る。
【産業上の利用可能性】
【００２８】  入浴剤と、玩具と、の両者を同時に提供でき、大人と子供が共に楽しみを共用する事が出来る、また本件発明技術は水溶性の薬剤を固化してなる他の商品、例えば水に溶かして使用する固形洗剤等にも適用可能である。
【図面の簡単な説明】
【００２９】
【図１】この発明の請求の範囲第１項および第２項に係る玩具内蔵入浴剤の一実施例を示す分解斜視図である。
【図２】図１に示した玩具内蔵入浴剤に格納された玩具を示す正面図である。
【図３】予め回転つまみ体が設けられた玩具を示す正面図である。
【図４】固形入浴剤が溶解して玩具が飛び出た状態を示す説明図である。
【図５】固形入浴剤および玩具を水面に浮く構造とした際の玩具の動きを示す説明図である。
【図６】玩具内蔵入浴剤に格納される玩具の他の例を示す図である。
【図７】この発明の請求の範囲第３項に係る玩具内蔵入浴剤の一実施例を示す分解斜視図である。
【符号の説明】
【００３０】  １  固形入浴剤（透明剤からなる固形入浴剤）
２  玩具
５  固形入浴剤（非透明剤からなる固形入浴剤）
【図１】
2005298461.tif 000003
【図２】
2005298461.tif 000004
【図３】
2005298461.tif 000005
【図４】
2005298461.tif 000006
【図５】
2005298461.tif 000007
【図６】
2005298461.tif 000008
【図７】
2005298461.tif 000009